(57)【要約】【課題】操作性が良好で、衣類の出し入れが容易なドラム式の電気洗濯機を提供することにある。【解決手段】ドラム式電気洗濯機において、回転槽３００と洗濯槽２００の衣類の投入口３０１，２０２を回転槽２００の円周方向に摺動するスライド式の開閉蓋３０２，２０２で構成し、筐体上面の衣類投入口４００を覆う開閉蓋１００を２つ折れの構造とするとともに、この２つ折れ開閉蓋１００の前部開閉蓋１０１に操作パネル５００を設けるようにする。【選択図】図１
2005279181.tif 000002
【特許請求の範囲】
【請求項１】
回転軸をほぼ水平位置に配置したほぼ円筒形状の回転槽と、この回転槽を内包する洗濯槽と、前記洗濯槽を内臓する筐体とを備えた電気洗濯機において、
前記回転槽は、円筒形状の周囲に衣類を出し入れする回転槽投入口を備え、
前記洗濯槽は、その上部に前記回転槽投入口を介して前記回転槽内に衣類を出し入れする洗濯槽投入口を備え、
前記筐体は、その上部に前記洗濯槽投入口を介して前記回転槽内に衣類を出し入れする衣類投入口を備え、
前記回転槽投入口と前記洗濯槽投入口は、前記回転槽の円周方向に摺動する回転槽開閉蓋と洗濯槽開閉蓋をそれぞれ備え、
前記衣類投入口は、前部開閉蓋と後部開閉蓋とから構成される筐体開閉蓋と、この衣類投入口の両側に形成される支持レールとを備え、
前記後部開閉蓋の一端は、前記前部開閉蓋の一端と第１の連結部を介して２つ折れ可能に取り付けられ、後部開閉蓋の他端は前記衣類投入口の後部に第２の連結部を介して開閉可能に取り付けられ、
前記前部開閉蓋の他端は、その両側部を前記支持レールに摺動可能に支持され、
前記前部開閉蓋に操作パネルを設けた
ことを特徴とする電気洗濯機。
【請求項２】
請求項１記載の電気洗濯機において、
前記前部開閉蓋の奥行方向の長さは、後部開閉蓋の奥行方向の長さより長く、
前記第２の連結部は、前記回転槽の前記回転軸の上部後方の筐体面に隣接して設けられ、
前記支持レールは、前方の筐体面に隣接し設けられる前端部と、前記前端部より筐体面の内方側に位置するとともに、前記第２の連結部の位置より下方でかつ前方に設けられる後端部と、前記前端部と後端部とを緩やかに連続する移動路とから構成される
ことを特徴とする電気洗濯機。
【請求項３】
請求項２記載の電気洗濯機において、
前記前部開閉蓋の他端は、筐体開閉蓋を閉めた状態で、筐体の外装面と連続し、筐体開閉蓋を開いた状態では、衣類投入口内に納まるように、前記支持レールで支持されることを特徴とする電気洗濯機。
【発明の詳細な説明】
【技術分野】
【０００１】
本発明は、筐体内に回転軸をほぼ水平位置に配置した円筒形状の回転槽を備えたドラム式電気洗濯機に係り、特に、筐体上面に前記回転槽に衣類を出し入れする衣類投入口を備えた電気洗濯機または乾燥機能を備えた電気洗濯機に関するものがある。
【背景技術】
【０００２】
近年、筐体内に回転軸をほぼ水平位置に配置した円筒形状の回転槽を備えたドラム式電気洗濯機が高級ゾーンの価格帯で市場に投入されている。このドラム式電気洗濯機は、筐体の前面上部を斜めにカットし、このカット面に衣類投入口を設けて、２つ折れの開閉蓋やスライド式の開閉蓋を介して前記衣類投入口を覆う構造としている。
このドラム式電気洗濯機は、回転する筒状の回転槽の周囲に回転槽の投入口を備えているために、この回転槽の投入口を塞ぐ開閉蓋と、前記回転槽を覆う洗濯槽の投入口を塞ぐ開閉蓋と、前記筐体に設けた衣類投入口の開閉蓋の３つの開閉蓋が必要である。
【０００３】
従来技術では、前記衣類投入口の開閉蓋はスライド式や2つ折れ開閉蓋などで構成しているものの、回転槽と洗濯槽は後方の回転軸を介して前方を跳ね上げする開閉方式としている。
また、従来のドラム式電気洗濯機は、回転軸を垂直にする回転槽を備えた一般的な電気洗濯機より衣類投入口の前部が低くなっているため、操作パネルの位置は衣類投入口の側面に設けたものが一般的である。
【０００４】
【特許文献１】特開２００３−２８４８９８号公報
【発明の開示】
【発明が解決しようとする課題】
【０００５】
前記従来例によれば、３つの開閉蓋を跳ね上げる方式であるため、衣類投入口を開いた状態では、衣類投入口の後方に前記３つの開閉蓋が折り重なって存在するため、衣類投入口の奥行寸法が小さくなる課題がある。また、衣類投入口の横幅方向も前記操作パネルを設ける関係で、衣類投入口の左右幅を小さくするか、あるいは、筐体の横幅を大きくする必要がある。即ち、従来例では、衣類投入口を大きくして衣類の出し入れを容易にすることに課題がある。
そこで、本発明の目的は、操作性が良好で、衣類の出し入れが容易なドラム式の電気洗濯機を提供することにある。
【課題を解決するための手段】
【０００６】
本発明に係る電気洗濯機は、前記目的を達成するために、ドラム式電気洗濯機において、回転槽と洗濯槽の衣類の投入口を回転槽の円周方向に摺動するスライド式の開閉蓋で構成し、筐体上面の衣類投入口を覆う開閉蓋を２つ折れの構造とするとともに、この２つ折れ開閉蓋の前部開閉蓋に操作パネルを設けるようにする。
【発明の効果】
【０００７】
本発明によれば、大きな衣類投入口を採用できるので衣類の出し入れが容易となるとともに、開閉蓋の大きな面積を利用して操作パネルを設けることができるので操作性を向上させることができる。
【発明を実施するための最良の形態】
【０００８】
以下、図１から図２１を参照して、本発明に係る電気洗濯機または衣類乾燥機能を備えた電気洗濯機を詳細に説明する。なお、同一または同様な部位、あるいは矢印などは同一符号を以って示し、重複した説明を省略する。また同様に、外観図において、同一形状また対称の図面がある場合は、変更部分の図面のみを図示し、重複した図面を省略する。図１から図８は第１の実施の形態を示し、図９から図２１は他の実施の形態を示している。
【実施例１】
【０００９】
先ず、図１から図８を参照して、第１の実施の形態に係る衣類乾燥機能を備えた電気洗濯機を詳細に説明する。図１は、衣類乾燥洗濯機の外観斜視図、図２は衣類乾燥洗濯機の外観図、図３は衣類乾燥洗濯機の概略中央断面図、図４は洗濯槽の概略部分断面図、図５は洗濯槽の他の構造を示す概略断面図、図６は回転槽の概略断面図、図７は筐体開閉蓋の動作比較図、図８は筐体開閉蓋の動作説明図である。
【００１０】
先ず、図１を参照して、この実施の形態に係る衣類乾燥洗濯機の概略構造を説明する。図１は、筐体開閉蓋を開いた状態の外観斜視図である。図１において、符号１で示す衣類乾燥洗濯機は、上部を開放した洗濯槽１０を備えた主筐体２０と、この主筐体２０の上面に形成される衣類投入口４００を覆う筐体開閉蓋１００とから構成される。前記主筐体２０は、この主筐体２０の上部を構成する上カバー３０と、この主筐体２０の下部を構成する下カバー４０と、前記上カバー３０と下カバー４０との間を形成する中間筐体５０とから構成される。
【００１１】
図３に示すように、前記主筐体２０の内部には、ほぼ円筒形状を横に配置した洗濯槽２００が図示しない複数の吊棒または下方より支持する複数のダンパを介して主筐体２０に取り付けられる。この洗濯槽２００には回転軸Ｐをほぼ水平位置に配置したほぼ円筒形状の回転槽３００が設けられ、前記洗濯槽２００に取り付けられる図示しない駆動モータにより洗濯槽２００内で回転可能に設けられている。
【００１２】
前記回転槽３００は、円筒形状の周囲に衣類を出し入れする回転槽投入口３０１を備え、これに対応して、前記洗濯槽２００もまた、その上部に前記回転槽投入口３０１を介して前記回転槽３００内に衣類を出し入れする洗濯槽投入口２０１を備えている。この２つの投入口２０１，３０１は、前記回転槽３００の円周方向に摺動する回転槽開閉蓋３０２と洗濯槽開閉蓋２０２をそれぞれ備えている。
【００１３】
一方、前記主筐体２０には、その上部に前記洗濯槽投入口２０２を介して前記回転槽３００内に衣類を出し入れする衣類投入口４００が形成される。この衣類投入口４００は、前部開閉蓋１０１と後部開閉蓋１０２とから構成される筐体開閉蓋１００によって開閉可能に覆われている。
また、前記後部開閉蓋１０２の一端は、前記前部開閉蓋１０１の一端と第１の連結部１０３を介して２つ折れ可能に取り付けられ、後部開閉蓋１０２の他端は前記衣類投入口４００の後部に第２の連結部１０４を介して回転可能に取り付けられ、前記前部開閉蓋１０１の他端は、その両側部を衣類投入口４００の両側に形成される支持レール４０１に摺動可能に支持されている。
【００１４】
図１に戻り、前記前部開閉蓋１０１には、この衣類乾燥電気洗濯機１を操作するための操作パネル５００と、この筐体開閉蓋１００を開閉するための取っ手部５５０が設けられている。この実施の形態では、電源スイッチ５０１を他のスイッチと分離して、衣類投入口４００の片側の主筐体面２１に設けている。また、前記取っ手部５５０は、前記第１の連結部１０３に隣接して設けられ、この下方に前記操作パネル５００が設けられている。
【００１５】
そして、この実施の形態の大きな特徴の１つは、外側となる前記筐体開閉蓋１００を２つ折れ開閉構造とし、内側となる回転槽開閉蓋３０２と洗濯槽開閉蓋２０２をスライド構造とした点にある。即ち、従来の跳ね上げ式の開閉蓋の場合、跳ね上げた蓋の収納スペースを確保する必要がある。従来例では、衣類投入口の後方に２つの蓋を重ねて収納していたために、この収納スペースにより、衣類投入口の大きさが制限され、大きな衣類投入口を確保することに課題があった。この実施の形態によれば、２つの投入口２０１，３０１を開放する開閉蓋２０２，３０２は、それぞれの円周方向に沿ってコンパクトに収納されるので、衣類投入口４００がこれら開閉蓋２０２，３０２によって塞がれることを軽減することができる。
【００１６】
一方、衣類投入口４００を覆う筐体開閉蓋１００を２つ折れ構造とすることにより、この筐体開閉蓋１００の前部開閉蓋１０１を操作パネル５００の配置スペースとすることができる。この筐体開閉蓋１００は、前記２つの開閉蓋２０２，３０２とは異なり、最も外側の開閉蓋であるため、開いた状態では、衣類投入口４００の後方にコンパクトに折りたたんで収納できるので、衣類投入口４００を大きく形成することができる。
【００１７】
また、この実施の形態の特徴の１つは、２つ折れの筐体開閉蓋１００の前部開閉蓋１０１の奥行方向の長Ｌ１さを、後部開閉蓋１０２の奥行方向の長さＬ２より長くし、この第１の連結部１０３の近傍の前部開閉蓋１０１に取っ手部５５０を設けた点にある。この種の上部から衣類を出し入れするドラム式の構造では、回転槽３００の回転槽投入口３０１が上面から前面側の円周面で停止するように制御される。このことから、衣類投入口４００もまた、従来の回転槽を立てたものより低くなる。このため、第１の連結部１０３を筐体開閉蓋１００の中央に配置すると、この第１の連結部１０３近傍に配置される取っ手部５５０も低い位置となり、開閉動作を低い位置で行なうこととなる。同様に、この前部開閉蓋１０１に配置される操作パネル５００も低い位置となり操作性が悪くなる課題がある。この点、この実施の形態では、前部開閉蓋１０１の奥行方向の長さＬ１を後部開閉蓋の奥行方向の長さＬ２より長くしているので、取っ手部５５０や操作パネル５００を高い位置に配置することができるので、操作性や開閉動作の取扱性を向上することができる。
【００１８】
また、他の特徴の１つは、前記前部開閉蓋１０１に前記操作パネル５００を設けた点にある。この構成により、広い筐体開閉蓋１００を利用して操作性が良好な大きな操作スイッチ類を配置することができる。しかも、操作スイッチ類を配置するスペースをこの衣類投入口４００の周囲に形成する必要がないから、この衣類投入口４００を主筐体２０の上面に大きく形成することができる。
【００１９】
そして、更なる特徴の１つは、前記衣類投入口４００の両側に設けた支持レール４０１を利用して、前記操作パネル５００の基板などにより重量が増した前部開閉蓋１０１の前端部（自由端）Ｑ１を支持することができる。これにより、利用者は、前記取手部５５０を介して、前記第１の連結部１０３を上方に引き上げる動作により前記筐体開閉蓋１００を開放することができるとともに、この筐体開閉蓋１００の重量を固定端部Ｑ２の前記第２の連結部１０４と前記自由端Ｑ１に分散して支持するので、利用者の開閉にともなう無用な負荷を軽減することができる。しかも、この実施の形態では、前記操作パネル５００と分離独立させた電源スイッチ５０１を前記衣類投入口の片側の主筐体面２１に設けることにより、前記筐体開閉蓋１００を開いた状態でも各種の操作を行うことができる。
【００２０】
更に、他の特徴の１つは、前記支持レール４０１を、前端部４０２は主筐体面２１に隣接して設け、その後方は、徐々に主筐体２０の内側へ入り込むように設けた点である。即ち、この実施の形態では、前記前部開閉蓋１０１の奥行方向の長さＬ１を後部開閉蓋１０２の奥行方向の長さＬ２より長く形成し、前記第２の連結部１０４を、前記回転槽３００の前記回転軸Ｐの上部後方の主筐体面２１に隣接して設け、前記支持レール４０１を、前方の主筐体面２１に隣接し設けられる前端部４０２と、この前端部４０２より主筐体面２１の内方側に位置させるとともに、前記第２の連結部１０４の位置より下方でかつ前方に設けられる後端部４０３と、前記前端部４０２と後端部４０３とを緩やかに連続する移動路４０４とから構成している。
【００２１】
この支持レール４０１の構造によれば、２つ折れ筐体開閉蓋１００を衣類投入口４００の後方に折りたたんで収納した際に、自由端Ｑ１と固定端部Ｑ２との幅を狭くすることができるので、筐体開閉蓋１００をコンパクトに収納できるから、衣類投入口４００を大きくすることができる。また、前部開閉蓋１０１の傾斜角度を前記後端部４０３の位置で調整することができる。この実施の形態では、筐体開閉蓋１００を閉めた状態の操作パネル５００の角度と、筐体開閉蓋１００を開いた状態の操作パネル５００の角度を近似させて、２つの状態での操作感覚を共通になるようにしている。
【００２２】
また、更なる特徴の１つは、前記衣類投入口４００が設けられる主筐体２０の正面前部から上面前部にかけて、側面から見て、大きな円弧形状とした点である。これにより、主筐体２０全体をコンパクトにするとともに意匠性を向上させている。そして、前記筐体開閉蓋１００も円弧形状とすることにより、筐体開閉蓋１００を小型化できる。
【００２３】
以下、図２から図８を参照して、更に詳細に説明する。図２は、この実施の形態に係る衣類乾燥洗濯機の外観図であり、（ａ）図は平面図、（ｂ）図は正面図、（ｃ）図は右側面図である。
図２において、この実施の形態では、前記上カバー３０を樹脂材料で形成し、主筐体２０の上面後方から正面上部にかけて薄い板状に形成している。この上カバー３０の後端部３１は、その前部より１段低く形成され、その左側に水道給水弁３２と風呂水給水弁３３が設けられている。前記水道給水弁３２の手前には水平面３４が形成され、この水平面の中央にトレー３５が形成され、その左側に開閉蓋で覆われた洗剤投入部３６が形成される。上カバー３０の前記水平面３４から前方部分は大きな円弧形状で前記中間筐体５０の前部に連続している。この円弧面は、その両側に縁部３７を残して前記衣類投入口４００が設けられ、この衣類投入口４００を覆うように前記筐体開閉蓋１００が設けられる。前記衣類投入口４００の片側には電源スイッチ５０１が設けられ、他の操作スイッチ類は、前部開閉蓋１０１に配置される操作パネル５００内に設けられている。前記操作パネル５００と第1の連結部１０３との間には、この筐体開閉蓋１００を開閉するための取っ手部５５０が設けられ、この取っ手部５５０と操作パネル５００が１つの塊の印象を持つように近接して配置される。
【００２４】
前記中間筐体５０は、両側面と背面を1枚の鋼板を折り曲げて形成したベース筐体５１と、このベース筐体５１の前部を覆うフロントパネル５２から構成される。前記ベース筐体５１の両側面の上端は、後方に行くにしたがって立ち上がって、前記上カバー３０の両側及び背面部分と重なるように形成される。即ち、前記上カバー３０は、上面部が周囲に張り出して形成され、この張出部３８が前記ベース筐体５１の上端部にねじ止めなどで取り付けられる。したがって、前記上カバー３０に形成される衣類投入口４００は凹状に形成されるので、上カバー３０の下部に張り出した衣類投入口４００は前記中間筐体５０の容積内に収められる。
前記下ケース４０は、樹脂材料で形成され、その下端部は標準的な防水パンに設置可能なように、中間筐体５０より小さく形成されている。
【００２５】
次に、図３から図６を参照して、内部構造を説明する。図３は図２に示すＡ−Ａ部分の概略断面図である。図４は、洗濯槽の開閉構造を示す部分断面図であり、（ａ）図が洗濯開閉蓋を開いた状態、（ｂ）図が洗濯開閉蓋を閉じた状態、（ｃ）図が洗濯開閉蓋をロック状態とした図面である。図５は洗濯槽の他の開閉機構を示した断面図である。図６は回転槽の概略断面図である。
【００２６】
図３において、この実施の形態では、回転軸Ｐを中心に筒状の回転槽３００が筒状の洗濯槽２００内で回転可能に支持される。この回転槽３００は、その内面に図示しない突起が設けられ、この回転槽３００を回転させた際に衣類が攪拌されて洗濯効率や乾燥効率を高めるようになっている。この回転槽３００の筒状の外周面の一部には、前記回転槽投入口３０１が設けられ、この回転槽投入口３０１を開閉するように回転槽開閉蓋３０２が設けられる。この回転槽開閉蓋３０２の開閉構造を図６に示す。
【００２７】
図６において、ほぼ筒状の回転槽３００は、回転槽本体３０３と、この回転槽本体３０３に摺動可能に取り付けられる回転槽開閉蓋３０２とから構成される。前記回転槽本体３０３は、一対の円形状の側板３０４と、この一対の側板３０４の間で筒状の外周面を構成する外周体３０５とから構成される。前記外周体３０５は、側板３０４の外周端３０６が残るように内側に設けられる。前記外周端３０６の内側には回転軸Ｐを中心とする円弧状の支持レール３０７が設けられている。前記回転槽開閉蓋３０２は、前記回転槽投入口３０１を塞ぐ大きさを備え、前記外周体３０５と相似の弧状に形成されている。そして、この回転槽開閉蓋３０２は、前部両側と後部両側に摺動部材３０８が設けられ、この摺動部材３０８を介して、この支持レール３０７に前記回転槽開閉蓋３０２が取り付けられることで、この回転槽開閉蓋３０２を円周方向に摺動に可能に開閉することができる。
【００２８】
また、前記回転槽開閉蓋３０２の前部には、ロックスイッチ３０９が設けられている。このロックスイッチ３０９は、回転槽開閉蓋３０２を開閉するための取っ手機能を備えている。この実施の形態では、図６に示すように、閉めた状態で、ロックスイッチ３０９に設けた突起部３１０が、前記外周体３０６に設けた嵌合孔３１１に勘合するように図示しないバネなどで矢印方向（ほぼ回転軸方向）に力を受けるようになっている。したがって、使用者は、この取っ手部を矢印と反対方向に引き上げることで、前記ロックスイッチ３０９のロック状態を解除することができるので、この状態から、円周方向に回転槽開閉蓋３０２を摺動させて回転槽投入口３０１を開放することができる。
図３に戻り、前記洗濯槽２００は、ほぼ円柱形状を横に配置した形状を備え、その外周面に前記洗濯槽投入口２０１を設けている。そして、この洗濯槽２００は、前記洗濯槽投入口２０１を斜め前方に位置するように、図示しない吊棒で主筐体２０に吊り下げられた構造であっても、あるいは、図示しないダンパを介して下方より支持する構造でもあっても適用することができる。
【００２９】
前記洗濯槽投入口２０１には、洗濯槽開閉蓋２０２が摺動可能に取り付けられている。この構造を図４または代案を図５に示す。図４に示すように、この実施の形態では、ほぼ円柱形状の洗濯槽２００を、洗濯槽本体２０３と、この洗濯槽本体２０３に摺動可能に取り付けられる洗濯槽開閉蓋２０２とから構成している。前記洗濯槽本体２０３は、一対の円形状の側板２０４と、この一対の側板２０４の間で筒状の外周面を構成する外周体２０５と、前記洗濯槽開閉蓋２０２が閉まった状態で、洗濯槽開閉蓋２０２の前端部を内側に押すまたは引き込むための駆動手段２０６とから構成される。前記外周体２０５は、側板２０４の外周端２０７が残るように内側に設けられている。前記外周端２０７の内側には回転軸Ｐを中心とする円弧状の支持レール２０８、２０９が設けられている。前記洗濯槽開閉蓋２０２は、前記洗濯槽投入口２０１を塞ぐ大きさを備え、前記外周体２０５と相似の弧状に形成されている。前記駆動手段２０６は、洗濯槽２００を密閉するための機構である。
【００３０】
この洗濯槽２００は、洗濯時には、その内部に溜めた洗濯水内で回転槽３００が回転することにより洗濯が行なわれる。また脱水時には、回転槽３００の回転により回転槽３００内の衣類から水分が遠心力で飛ばされ、この飛ばされた水分をこの洗濯槽２００で受ける必要がある。このため、この洗濯槽２００では、前記洗濯槽開閉蓋２０２により洗濯槽投入口２０１を密閉する必要がある。
【００３１】
そこで、この実施の形態では、前記外周端２０７の内側に設けられる前記２本の支持レールを、内径側に形成される内側支持レール２０８と、この内側レール２０８の外側に形成される外側支持レール２０９とから構成している。更に、洗濯槽開閉蓋２０２は、前記内側レール２０８に勘合する摺動部材２１０を前部両側に設け、前記外側支持レール２０９と嵌合する摺動部材２１１を後部両側に設け、少なくとも閉鎖状態で前記洗濯槽投入口２０１の外周と接する部分に図示しないパッキンを設けている。また、前記洗濯槽投入口２０１の前端部近傍には、閉鎖された洗濯槽開閉蓋２０２の前端部を内側に押し付けるための駆動手段２０６が設けられている。そして、前記内側支持レール２０８の前端部は、前記駆動手段２０６の押す圧力に応じてこの前端部を内側に押し込む（引く込む）ために屈曲レール２１４が形成される。
【００３２】
このような構造を備えた洗濯槽開閉蓋２０２の動作を図４をもとに更に説明する。先ず、図４（ａ）図に示すように、洗濯槽開閉蓋２０２は、開放状態において、洗濯槽投入口２０１の後方の外周体２０７の外側に重なってコンパクトに収納される。この状態から、洗濯槽開閉蓋２０２の前端部に設けた取っ手部２１２を介して、この洗濯槽開閉蓋２０２を洗濯槽２００の外周に沿って前方に摺動移動させ、（ｂ）図にように、この洗濯槽開閉蓋２０２を、前記洗濯槽投入口２０１を塞ぐ位置まで、摺動させることができる。したがって、外側支持レール２０９の前端部２１３は、（ｂ）図の位置まで形成されている。この実施の形態では、この（ｂ）図の状態では、洗濯槽開閉蓋２０２の前端部と洗濯槽投入口２０１の前側の縁部に図示しない嵌合部を備えている。このため、使用者は、洗濯槽開閉蓋２０２を（ａ）図から（ｂ）図に移動させると、前記嵌合部に勘合したことにより抵抗感を受けるので、前記洗濯槽開閉蓋２０２を閉めたことを認識することができる。
【００３３】
この後、操作パネル５００の図示しないスタートスイッチの押下により、この衣類乾燥洗濯機１を制御する図示しないマイコンが前記駆動手段２０６を駆動させて、（ｃ）図に示すように、前記洗濯槽開閉蓋２０２の先端部を内側に押し付ける動作を行なう。この実施例では、前記洗濯槽開閉蓋２０２の後部の摺動部材２１１は、前記外側支持レール２０９の前端部２１３に固定され、前記洗濯槽開閉蓋２０２の前部の摺動部材２１０は、内側支持レール２０８の屈曲部２１４により内方へ移動可能なため、この洗濯槽開閉蓋２０２は前記外側支持レール２０９の前端部２１３を中心に内側に回転する動きと成る。これにより、前記洗濯槽回転蓋２０２のパッキンは、前記洗濯槽投入口２０１に押し付けられて洗濯槽２００の密閉が保たれる。
【００３４】
なお、この実施の形態では、前記駆動手段２０６を、前記洗濯槽開閉蓋２０２の外側に設けて、前記先端部を外側から押し付ける構造としているが、これに限定されるものではない。例えば、前記洗濯槽２００の中心軸Ｐ近傍に、前記先端部を引き付ける駆動手段２０６を備えることでも同様な効果を得ることができる。
また、図５は、洗濯槽開閉蓋２０２を密閉構造にする他の実施の形態を示している。この実施の形態では、図６に示す回転槽３００のレール構造と同様な構造を備えている。即ち、前記外周端２０７の内側には回転軸Ｐを中心とする円弧状の１本の支持レール２１５が設けられている。洗濯槽開閉蓋２０２は、前記洗濯槽投入口２０１を塞ぐ大きさを備え、前記外周体２０５と相似の弧状に形成されている。そして、洗濯槽投入口２０１の周囲には、例えば、空気圧で膨らむパッキン２１６を備えるようにする。
【００３５】
この構造によれば、前記駆動手段２０６に代えて、前記パッキン２１６に空気を挿入することで、洗濯槽投入口２０１と洗濯槽開閉蓋２０２とが密着されるので、前記実施の形態と同様な作用効果を得ることができる。なお、この実施の形態では、空気圧を使う構造で説明したが、これに限定されるものではなく、このパッキン２１６を油圧で膨らましたり、あるいは昇降機構で膨らむ構造のものでもよい。
【００３６】
図３に戻り、この実施の形態では、衣類開閉蓋の第２の連結部１０４を、前記回転軸Ｐの上部後方に設けている。この第２の回転軸１０４の配置される位置は、この筐体開閉蓋１００が閉鎖状態で、前記主筐体２０の上面部と面一となるように、この主筐体２０の上面近傍に設けられている。この実施の形態では、この筐体開閉蓋１００の自由端Ｑ１を前記支持レール４０１に摺動可能に支持している。このような支持レール４０１を設ける場合、主筐体２０の上面に沿って形成することが想定されるが、この実施の形態では後方に行くにしたがって前記支持レール４０１が内側に入り込む構造を備えている。これを図７で説明する。
図７は、（ａ）図に２つ折れ筐体開閉蓋１００の基本的な構成を示す概略断面図を示し、（ｂ）図に同じ大きさの２枚の蓋からなる筐体投入蓋１００の概略断面図を示し、（ｃ）図に前部開閉蓋１０１の奥行が後部開閉蓋１０２より大きい筐体開閉蓋１００の概略断面図を示し、（ｄ）図にこの実施の形態の概略断面図を示している。
【００３７】
先ず、（ａ）図に示すように、この実施の形態では、筐体開閉蓋１００を前部開閉蓋１０１と後部開閉蓋１０２とから構成し、回転軸Ｐの上部後方の第２の連結部１０４を中心に、前記支持レール４０１に取り付けられるローラなどからなる摺動手段１０５が、支持レール４０１上を移動して前記２つの開閉蓋が衣類投入口４００の後方に立て姿勢で収納される構造である。
【００３８】
ここで、（ｂ）図に示すように、前部開閉蓋１０１と後部開閉蓋１０２の奥行が同じ場合、第１の連結部１０３が固定され、摺動手段１０５が主筐体２０上部に沿って形成される支持レール４０１上を摺動することになる。この場合、前記したように、この種のドラム式の場合は、衣類投入口４００が前面側に大きく開放するため、前記第１の連結部１０３の床面からの高さＨ１が低くなる関係で、この近傍に設けられる取っ手部５０５が低くなるため、開閉動作が行ない難くなる課題がある。しかも、後部開閉部１０２と奥行が同じ前部開閉部１０１の位置が床面から低い位置に配置されるために、この前部開閉蓋１０１に配置される操作パネル５００の大きさに制限が生じる。即ち、操作パネル５００の面積が狭い上に操作性が悪い低位置に配置される関係から、使いやすい大きな操作パネル５００を配置することに課題が残る。
【００３９】
一方、（ｃ）図に示すように、（ｂ）図の構成から前部開閉蓋１０１の奥行を後部開閉蓋１０２の奥行より長くした場合、第1の連結部１０３の床面からの高さＨ１を高くすることができるから、（ｂ）図の課題である取っ手部５５０の操作性を向上できるとともに、大きな操作パネル５００を高い位置に配置することができる。しかし、前部開閉蓋１０１の奥行を長くした関係で、筐体開閉蓋１００を後方に折りたたんで収納した際の収納スペースの奥行寸法が大きくなり、衣類投入口４００の大きさΘ２は（b）図のΘ１により小さくなる課題が生じる。
【００４０】
そこで、この実施の形態では（ｄ）図のように、支持レール４０１を後方に行くにしたがって主筐体２０の外面から内側に入り込む構造としている。これによって、筐体開閉蓋１００を後方に折りたたんで際の収納スペースが小さくなるので、衣類投入口４００の大きさΘ３を（c）図のΘ２により大きくすることができる。
【００４１】
次に、本実施の形態の開閉動作を図８で更に説明する。図８は動作工程の概略図であり、（ａ）図は第1の実施の形態、（ｂ）図（ｃ）図は他の実施の形態である。（ａ）図に示すように、この実施の形態では、筐体開閉蓋１００を主筐体２０の外面とほぼ同じ形状の円弧状に形成しているので、閉鎖状態では、筐体開閉蓋１００が主筐体２０の外面と馴染んだ形状としている。この状態Ａ−１から、第1の連結部１０３の近傍下部に設けた取っ手部５５０を引き上げることで、支持レール４０１に取り付けられる摺動手段１０５が支持レール４０１に沿って斜め上方に移動する（Ａ−２）。この実施の形態では、支持レール４０１が後方に行くに従って徐々に主筐体２０の外面から離れるように形成されているので、前記摺動手段１０５が支持レール４０１に沿って前記外面から離れながら、Ａ−２，Ａ−３にように斜め上方に移動していく。そして、最終の開放状態では、前記摺動手段１０５は回転軸Ｐの真上より後方で、かつ、前記第2の連結部１０４の前方でかつ下方の位置まで移動する。この最終の後方位置では、この最終端で前記摺動手段１０５を一時的に固定する図示しない固定手段を設けるようにする。この固定手段は、摺動手段１０５が前方に容易に移動することを防ぐもので、この最終端の少し手前の支持レール４０１上に突起を設けたり、最終端部分に凹部を設けるなどして固定する。これにより、衣類投入口４００の後方に前記筐体開閉蓋１００を安定収納して、衣類投入口４００を大きく開放することができる。
【００４２】
一方、この開放状態から閉鎖状態に移行する場合は、前記取っ手部５５０を手前に移動させることで、前記摺動手段１０５が前記固定状態から解放され、前記支持レール４０１に沿って閉鎖位置まで移動するので、元の閉鎖状態にすることができる。この実施の形態では、前記支持レール４０１の前端部近傍に図示しない衝撃干渉手段を設けているので、この筐体開閉蓋１００が閉まる際に主筐体２０に衝突して破損することを軽減している。
【００４３】
前記実施の形態では前記支持レール４０１が後方に行くにしたがって徐々に内側に入り込む構造としたがこれに限定されるものではない。即ち、前記支持レール４０１の後端部が、前記実施の形態と同様な位置に最終的に位置すればよい。したがって、図８（ｂ）（ｃ）図のように、支持レール４０１の前半は前記主筐体２０の外面に沿って形成され、支持レール４０１の後半部分が（ｂ）図のように水平に形成されてもよいし、あるいは（ｃ）図のように斜め下方に移動するように形成してもよい。（ｂ）（ｃ）図とも後半部分は前半部分に緩やかに連続するように形成することでスムーズな開閉動作を行えるようにする。このような支持構造とすることで、支持レール４０１の構造を簡単にすることができる。特に、（ｃ）図の構造では、摺動手段１０５は支持レール４０１の最頂点から低い位置に移動するので、前記固定手段を省略することができる。
【００４４】
図３にもどり、この実施の形態によれば、図３の状態において、前記２つの開閉蓋（回転槽開閉蓋３０２、洗濯槽開閉蓋２０２）をスライドさせることで、衣類投入口４００を大きく開放することができる。特に、この開放状態では、従来例のように、前記２つの開閉蓋は、筐体開閉蓋１００の前方を塞ぐように折り重なって収納されないので、衣類投入口４００を大きく開放できるし、更に、前記２つの開閉蓋が筐体開閉蓋１００に設けられる操作パネル５００の前方に立ち塞がらないので、前部開閉蓋１０１に大きな操作パネル５００を配置することができる。
【００４５】
また、この開放状態では、操作パネル５００の傾斜する角度が、閉じた状態での操作パネル５００の傾斜角度と近似した角度にすることができるので、２つの状態での操作感覚を共通にすることができる。
そして、図3の開放状態から閉鎖状態にする場合は、前記回転槽開閉蓋３０２と洗濯槽開閉蓋２０２を閉めた後に筐体開閉蓋１００を閉めることで、運転する状態にすることができる。そして、この閉鎖状態で、前記電源スイッチをＯＮ状態に操作して、前記操作パネル５００から必要な操作を指示することで、衣類の洗濯、または、乾燥、あるいは、洗濯から乾燥まで行うことができる。
【００４６】
なお、運転が終了して、前記回転槽３００から衣類を出す場合は、前記マイコンが図示しないセンサーで前記回転槽３００の停止位置を図３に示すような位置で停止させるので、前記筐体開閉蓋１００を最初に開放し、次に、洗濯槽開閉蓋２０２と回転槽開閉蓋３０２を開放して衣類を取り出すことができる。
【００４７】
次に、図９から図２１を参照して、この実施の形態に係る上カバーの他の実施の形態を説明する。この実施の形態に係る上カバーは、多様なバリエーション展開が可能であり、図１から図８に示した上カバーの外観形状に限定されるものではない。例えば、図９から図２１に示すような展開例でも同様な効果を得ることができる。ここで、以後の説明では、実施の形態の外観図面を特徴的な部分（部分意匠）を実線で示し、前記図１と同様な部分については破線で示すこととする。もちろん、前記特徴的な部分と破線とで構成される全体形状も新規な部分であるが、説明を分かりやすくするためである。
【００４８】
図９は、この実施の形態に係る衣類乾燥洗濯機の外観図であり、（ａ）図は平面図、（ｂ）図は正面図、（ｃ）図は右側面図、（ｄ）図は底面図、（ｅ）図は背面図、（ｆ）図は左側面図を示している。また、図１０以降の各図は、他の実施の形態に係る外観図であり、（ａ）図が平面図、（ｂ）図が正面図、（ｃ）図が右側面図を示している。
【００４９】
図９において、この実施の形態では、上カバー３０の水平面３４からトレー３５と洗剤投入部３６を取り除いてフラットな平面で構成したものである。取っ手部５５０は、前側の手掛部と、この手掛部の後方に前記手掛部の内側に回り込んで形成される手掛凹部とから構成される。そして、取っ手部５５０と操作パネル１００は連続した一塊で区画されている。
【００５０】
図１０において、この実施の形態は、トレー３５を筐体開閉蓋１００の横幅に合わせて連続的に形成し、更に、取っ手部５５０と操作パネル１００を筐体開閉蓋１００の横幅一杯まで伸ばしたものである。
【００５１】
図１１において、この実施の形態は、図１０の実施の形態の水平面３４にトレー３５と洗剤投入部３６を配置したものである。
【００５２】
図１２において、この実施の形態では、上カバー３０の水平面３４にトレー３５を備え、前部開閉蓋１０１に設けた取っ手部５５０を操作パネル５００と分離させて小さく形成したものである。
【００５３】
図１３において、この実施の形態は、図１２の実施の形態の水平面３４に洗剤投入部３６を配置したものである。
【００５４】
図１４において、この実施の形態はは、図１３の実施の形態の水平面３４に、開閉蓋１００と連続する区画部を形成し、この区画部にトレー３５と洗剤投入部３６を配置したものである。
【００５５】
図１５において、この実施んも形態は、図１４の実施の形態の操作パネル５００と取っ手部５５０を１つの塊に形成し、この塊を第1の連結部１０３の分割部から離して設けたものである。
【００５６】
図１６において、この実施の形態は、図９の実施の形態の開閉蓋に両側に帯び部を残して、その内側を色違いなどで目立たせた区画部を形成し、この区画部に合わせて操作パネル５００と取っ手部５５０を配置したものである。
【００５７】
図１７において、この実施の形態は、図１７の実施の形態の水平面３０に、前記区画部に合わせた区画部を形成し、この区画部にトレー３５を設けたものである。
【００５８】
図１８において、この実施の形態は、図２に示すような開閉蓋１００の両側の縁部３７を取止め、開閉蓋１００を上カバー３０の両側一杯まで形成したものである。更に、この実施の形態では、操作パネル５００と取っ手部５５０を両側に平面を残して一塊に形成し、水平面にはトレー３６を設けている。なお、操作パネル５００の右側には電源スイッチを分離して設けている。
【００５９】
図１９において、この実施の形態は、図１８の実施の形態の水平面３４にトレー３５と洗剤投入部３６を設けている。
【００６０】
図２０において、この実施の形態は、開閉蓋１００を上カバー３０の左右一杯まで形成し、開閉蓋１００の中央（前部開閉蓋と後部開閉蓋に跨って）に色彩などで周囲の開閉蓋面と分離される区画部を形成し、この区画部に操作パネル５００と取っ手部５５０を設けている。
【００６１】
図２１において、この実施の形態は、開閉蓋１００を上カバー３０の両側一杯まで形成し、開閉蓋１００の両側に平面部を残して、その内側に他の平面部と色違いなどで区別される区画部を形成し、この区画部に操作パネル５００と取っ手部５５０を設け、前記水平面３４には、前記区画部と連続するトレー３５を設けている。
【産業上の利用可能性】
【００６２】
本発明は、衣類の洗浄や乾燥を行う分野に利用できる。
【図面の簡単な説明】
【００６３】
【図１】衣類乾燥洗濯機の外観斜視図である。
【図２】衣類乾燥洗濯機の外観図である。
【図３】衣類乾燥洗濯機の概略中央断面図である。
【図４】洗濯槽の概略部分断面図である。
【図５】洗濯槽の他の構造を示す概略断面図である。
【図６】回転槽の概略断面図である。
【図７】筐体開閉蓋の動作比較図である。
【図８】筐体開閉蓋の動作説明図である。
【図９】他の実施形態に係る衣類乾燥洗濯機の外観図である。
【図１０】他の実施形態に係る衣類乾燥洗濯機の外観図である。
【図１１】他の実施形態に係る衣類乾燥洗濯機の外観図である。
【図１２】他の実施形態に係る衣類乾燥洗濯機の外観図である。
【図１３】他の実施形態に係る衣類乾燥洗濯機の外観図である。
【図１４】他の実施形態に係る衣類乾燥洗濯機の外観図である。
【図１５】他の実施形態に係る衣類乾燥洗濯機の外観図である。
【図１６】他の実施形態に係る衣類乾燥洗濯機の外観図である。
【図１７】他の実施形態に係る衣類乾燥洗濯機の外観図である。
【図１８】他の実施形態に係る衣類乾燥洗濯機の外観図である。
【図１９】他の実施形態に係る衣類乾燥洗濯機の外観図である。
【図２０】他の実施形態に係る衣類乾燥洗濯機の外観図である。
【図２１】他の実施形態に係る衣類乾燥洗濯機の外観図である。
【符号の説明】
【００６４】
１…衣類乾燥洗濯機、１０…洗濯槽、２０…主筐体、２１…主筐体面、３０…上カバー、３１…後端部、３２…水道給水弁、３３…風呂水給水弁、３４…水平面、３５…トレー、３６…洗剤投入部、３７…縁部、３８…張出部、４０…下カバー、５０…中間筐体、５１…ベース筐体、５２…フロントパネル、１００…筐体開閉蓋、１０１…前部開閉蓋、１０２…後部開閉蓋、１０３…第１の連結部、１０４…第２の連結部、１０５…摺動手段、２００…洗濯槽、２０１…洗濯槽投入口、２０２…洗濯槽開閉蓋、２０３…洗濯槽本体、２０４…側板、２０５…外周体、２０６…駆動手段、２０７…外周端、２０８…内側支持レール、２０９…外側支持レール、２１０、２１１…摺動部材、２１２…取っ手部、２１３…前端部、２１４…屈曲レール、２１５…支持レール、２１６…パッキン、３００…回転槽、３０１…回転槽投入口、３０２…回転槽開閉蓋、３０３…回転槽本体、３０４…側板、３０５…外周体、３０６…外周端、３０７…支持レール、３０８…摺動部材、３０９…ロックスイッチ、３１０…突起部、３１１…嵌合孔、４００…衣類投入口、４０１…支持レール、４０２…前端部、４０３…後端部、４０４…移動路、５００…操作パネル、５０１…電源スイッチ、５５０…取っ手部、Ｑ１…自由端、Ｑ２…固定端部、Ｐ…回転軸、Ｌ１…奥行方向の長さ、Ｌ２…奥行方向の長さ。
【図１】
2005279181.tif 000003
【図２】
2005279181.tif 000004
【図３】
2005279181.tif 000005
【図４】
2005279181.tif 000006
【図５】
2005279181.tif 000007
【図６】
2005279181.tif 000008
【図７】
2005279181.tif 000009
【図８】
2005279181.tif 000010
【図９】
2005279181.tif 000011
【図１０】
2005279181.tif 000012
【図１１】
2005279181.tif 000013
【図１２】
2005279181.tif 000014
【図１３】
2005279181.tif 000015
【図１４】
2005279181.tif 000016
【図１５】
2005279181.tif 000017
【図１６】
2005279181.tif 000018
【図１７】
2005279181.tif 000019
【図１８】
2005279181.tif 000020
【図１９】
2005279181.tif 000021
【図２０】
2005279181.tif 000022
【図２１】
2005279181.tif 000023